(57)【要約】【課題】可撓性挿入部が捩じられても、その内部に挿通配置されている処置具挿通チャンネル等の可撓性チューブが捩じり力によって座屈しない耐久性の優れた可撓性内視鏡の配管接続部を提供すること。【解決手段】内視鏡の可撓性挿入部２内に挿通配置された可撓性チューブ６の基端部が、可撓性挿入部２の基端に連結された操作部１側で管路部材１９に接続された可撓性内視鏡の配管接続部において、可撓性チューブ６の基端部を、軸線２１ｘ周りに回転自在な回転フリー接続手段２０により管路部材１９に接続した。【選択図】      図１
2006026248.tif 000002
【特許請求の範囲】
【請求項１】
内視鏡の可撓性挿入部内に挿通配置された可撓性チューブの基端部が、上記可撓性挿入部の基端に連結された操作部側で管路部材に接続された可撓性内視鏡の配管接続部において、
上記可撓性チューブの基端部を、軸線周りに回転自在な回転フリー接続手段により上記管路部材に接続したことを特徴とする可撓性内視鏡の配管接続部。
【請求項２】
上記回転フリー接続手段が、上記可撓性チューブの基端に固着されて上記管路部材に対して軸線周りに回転自在に嵌合するチューブ基端口金と、そのチューブ基端口金と上記管路部材との嵌合部をシールするためのシール部材と、上記チューブ基端口金を上記管路部材との嵌合部から軸線方向に移動しないように規制する抜け止め部材とを有している請求項１記載の可撓性内視鏡の配管接続部。
【請求項３】
上記抜け止め部材が上記管路部材側に対して螺合するナット状の部材である請求項２記載の可撓性内視鏡の配管接続部。
【請求項４】
上記可撓性チューブが処置具挿通チャンネルである請求項１、２又は３記載の可撓性内視鏡の配管接続部。
【発明の詳細な説明】
【技術分野】
【０００１】
この発明は可撓性内視鏡の配管接続部に関する。
【背景技術】
【０００２】
内視鏡の可撓性挿入部内には、処置具挿通チャンネル用や送気送水用等各種の可撓性チューブが挿通配置されていて、可撓性挿入部の基端に連結された操作部側において可撓性チューブの端部が剛性の管路部材に接続固定されている（例えば、特許文献１）。
【特許文献１】特開平７−２３９０１
【発明の開示】
【発明が解決しようとする課題】
【０００３】
内視鏡の可撓性挿入部は、体内への挿脱、誘導の際に、単純な進退操作が行われるだけでなく不規則に捩じり運動等が加えられたりループ状に曲げられたりする。それに伴って、可撓性挿入部の内部に挿通配置されている可撓性チューブにも捩じり力が作用する。
【０００４】
すると、可撓性チューブの中で最も径が大きい処置具挿通チャンネル等には捩じれ力が吸収されることなくそのまま伝わり易く、基端部の接続固定部の近傍で処置具挿通チャンネルが捩じり力により座屈してしまう場合がある。
【０００５】
そこで本発明は、可撓性挿入部が捩じられても、その内部に挿通配置されている処置具挿通チャンネル等の可撓性チューブが捩じり力によって座屈しない耐久性の優れた可撓性内視鏡の配管接続部を提供することを目的とする。
【課題を解決するための手段】
【０００６】
上記の目的を達成するため、本発明の可撓性内視鏡の配管接続部は、内視鏡の可撓性挿入部内に挿通配置された可撓性チューブの基端部が、可撓性挿入部の基端に連結された操作部側で管路部材に接続された可撓性内視鏡の配管接続部において、可撓性チューブの基端部を、軸線周りに回転自在な回転フリー接続手段により管路部材に接続したものである。
【０００７】
なお、回転フリー接続手段が、可撓性チューブの基端に固着されて管路部材に対して軸線周りに回転自在に嵌合するチューブ基端口金と、そのチューブ基端口金と管路部材との嵌合部をシールするためのシール部材と、チューブ基端口金を管路部材との嵌合部から軸線方向に移動しないように規制する抜け止め部材とを有していてもよく、その場合、抜け止め部材が管路部材側に対して螺合するナット状の部材であってもよい。
【０００８】
また、可撓性チューブが処置具挿通チャンネルであってもよく、その場合に最も大きな効果がある。
【発明の効果】
【０００９】
本発明によれば、可撓性チューブの基端部を、軸線周りに回転自在な回転フリー接続手段により管路部材に接続したことにより、可撓性挿入部が捩じられてそれと共に内部に挿通配置されている可撓性チューブに大きな捩じり力が作用しても、可撓性チューブが操作部側の基端部において管路部材に対して軸線周りに自由に回転することができるので、可撓性チューブが軸線周りに捩じれて座屈するような現象が発生せず、優れた耐久性を得ることができる。
【発明を実施するための最良の形態】
【００１０】
内視鏡の可撓性挿入部内に挿通配置された処置具挿通チャンネルの基端部が、可撓性挿入部の基端に連結された操作部側において剛性の配管分岐部材に接続された可撓性内視鏡の配管接続部において、処置具挿通チャンネルの基端部を、軸線周りに回転自在な回転フリー接続手段により配管分岐部材に接続する。
【実施例】
【００１１】
図面を参照して本発明の実施例を説明する。
図２において、１は内視鏡の操作部、２は可撓性挿入部、３は図示されていないライトガイドコネクタが先端に取り付けられている連結可撓管であり、操作部１には送気送水操作弁４や吸引操作弁５等が配置されている。
【００１２】
６は、可撓性挿入部２内に全長にわたって挿通配置されている太くて厚肉の処置具挿通チャンネル（可撓性チューブ）であり、例えば四フッ化エチレン樹脂チューブ等のような可撓性チューブによって形成されて、処置具挿入口７から差し込まれた処置具（図示せず）を可撓性挿入部２の先端から突出させるためのガイドとして機能する。
【００１３】
１１〜１６は、内視鏡内に配管されているその他の可撓性チューブであり、１１と１２は、ライトガイドコネクタ側から空気と水が送られてくる給気チューブと給水チューブ、１３と１４は、可撓性挿入部２の先端側に空気と水を送り出すための送気チューブと送水チューブであり、各々の端部が送気送水操作弁４から突設された金属製の接続管１７に接続され、各接続部が接続固着部材１８により固定的に接続されている。
【００１４】
また、１５はライトガイドコネクタ側から吸引が行われる吸引チューブ、１６は、処置具挿通チャンネル６と連通接続された連通チューブであり、各々の端部が吸引操作弁５から突設された金属製の接続管１７に接続され、その接続部が接続固着部材１８により固定的に接続されている。
【００１５】
処置具挿通チャンネル６の基端には、操作部１の下端部付近に突出して配置された処置具挿入口７に真っ直ぐに通じる処置具導入路８と連通チューブ１６側への連通路とがＹ字状に形成されたステンレス鋼製の配管分岐部材１９（管路部材）が接続されている。
【００１６】
図１はそのような配管分岐部材１９と処置具挿通チャンネル６との接続部付近を示しており、配管分岐部材１９に対して、連通チューブ１６は配管分岐部材１９から突設された金属製の接続管１９′に例えば接着と糸緊縛（接続固着部材１８）によって固定的に接続されているが、処置具挿通チャンネル６は、回転フリー接続手段２０によって軸線周りに回転自在に接続されている。
【００１７】
この実施例の回転フリー接続手段２０は、処置具挿通チャンネル６の基端に接続固着されて配管分岐部材１９に対し軸線２１ｘ周りに回転自在に嵌合するチューブ基端口金２１と、そのチューブ基端口金２１と配管分岐部材１９との嵌合面をシールするための例えばＯリング等からなるシール部材２２と、チューブ基端口金２１を配管分岐部材１９との嵌合部から軸線方向に移動しないように規制する抜け止め部材２３から成っている。
【００１８】
チューブ基端口金２１は、配管分岐部材１９との接続部分より処置具挿通チャンネル６との接続部分側の方が外径が細い段付の円筒状に形成されていて、処置具挿通チャンネル６との接続は例えば接着と糸緊縛により固定的に行われている。
【００１９】
そして、配管分岐部材１９側と嵌合するチューブ基端口金２１の太い外径部分の外周部には円周溝が全周にわたって形成されていて、シール部材２２がその円周溝内に装着されている。ただし、その他のシール構造を採用しても差し支えない。
【００２０】
抜け止め部材２３は、配管分岐部材１９の外周部に形成されている雄ネジと螺合する雌ネジが全長の約半分の部分に形成されたナット状の部材であり、残りの半分の部分は内径がチューブ基端口金２１の最大外径よりやや細く形成され、且つ抜け止め部材２３を配管分岐部材１９にきつく螺合させてもチューブ基端口金２１を配管分岐部材１９にきつく押圧固定しない寸法形状に形成されている。
【００２１】
そのような構成により、抜け止め部材２３が配管分岐部材１９にきつく締め付けられると、処置具挿通チャンネル６の基端に固着されているチューブ基端口金２１が配管分岐部材１９に対して軸線２１ｘ方向には移動できないが、軸線２１ｘ周りには回転自在に配管分岐部材１９に対して接続された状態になり、その状態が維持される。
【００２２】
したがって、可撓性挿入部２が捩じられてそれと共に内部に挿通配置されている処置具挿通チャンネル６に大きな捩じり力が作用しても、処置具挿通チャンネル６が操作部１側の端部において配管分岐部材１９に対して軸線周りに自由に回転することができるので、処置具挿通チャンネル６が軸線周りに捩じれて座屈するような現象が発生しない。
【００２３】
なお、本発明は上記実施例に限定されるものではなく、例えば、操作部１側において管路部材に対して軸線周りに回転自在に接続されるのが処置具挿通チャンネル６以外の可撓性チューブであっても差し支えなく、管路部材が配管分岐部材１９以外のシリンダ状部材その外の部材であっても差し支えない。
【図面の簡単な説明】
【００２４】
【図１】本発明の実施例の可撓性内視鏡の配管接続部の側面断面図である。
【図２】本発明の実施例の内視鏡の全体的な配管の略示図である。
【符号の説明】
【００２５】
１  操作部
２  可撓性挿入部
６  処置具挿通チャンネル（可撓性チューブ）
１９  配管分岐部材（管路部材）
２０  回転フリー接続手段
２１  チューブ基端口金
２１ｘ  軸線
２２  シール部材
２３  抜け止め部材
【図１】
2006026248.tif 000003
【図２】
2006026248.tif 000004